(57)【要約】【課題】  コンテンツサイト運営側あるいはコード生成側の負担を軽減すること。【解決手段】  リダイレクト管理装置３０が広告媒体１０のコード情報１１の読み取りが可能なＷｅｂ端末２０からのＷｅｂアクセスがあると、そのＷｅｂアクセス時のリダイレクト条件に応じたリダイレクト先ＵＲＬをＷｅｂ端末２０に通知し、Ｗｅｂ端末２０からのリダイレクト先ＵＲＬによるリダイレクトがあると、コンテンツサーバ４０がそのリダイレクト先ＵＲＬに対応するコンテンツである広告をＷｅｂ端末２０へ配信するようにし、コンテンツサイト側へのアクセス先となるＵＲＬの書き換えを行うことなく、しかも媒体にアクセス先用のコード情報１１を複数付すことなく、一個のコード情報１１から複数のコンテンツサイトへのアクセスが可能となるようにした。【選択図】  図１
2006155534.tif 000002
【特許請求の範囲】
【請求項１】
媒体上のコード情報の読み取りが可能なＷｅｂ端末と、
Ｗｅｂ端末からのＷｅｂアクセス時のリダイレクト条件に応じたリダイレクト先をＷｅｂ端末に通知するリダイレクト管理装置と、
Ｗｅｂ端末からのリダイレクトがあると、そのリダイレクト先に対応するコンテンツをＷｅｂ端末へ配信するコンテンツサーバとを備える
ことを特徴とするリダイレクト制御システム。
【請求項２】
リダイレクト管理装置は、
リダイレクト条件及びリダイレクト先ＵＲＬが登録されるデータベースを内包し、
Ｗｅｂ端末からのＷｅｂアクセスを受け取ってリダイレクト先ＵＲＬをＷｅｂ端末に通知するゲートウェイサーバを備える
ことを特徴とする請求項１に記載のリダイレクト制御システム。
【請求項３】
ゲートウェイサーバは、
入力されたコードシンボル生成条件を元に、少なくともコンテンツサイト運営側に関する情報をＩＤ番号と関連づけてデータベースの物件情報テーブルに登録し、さらにそのＩＤ番号を内包したゲートウェイサーバのＵＲＬをエンコードしてコードシンボルを生成するコードシンボル生成部と、
リダイレクト先の登録指示に基づき、データベースのリダイレクト先テーブルにＩＤ番号、リダイレクト先ＵＲＬ及びリダイレクト条件となる開始日時及び終了日時を登録する時限リダイレクト登録部と、
コード情報を読み取ったＷｅｂ端末からのアクセスがあると、アクセス情報を解読してＩＤ番号を抽出するとともに、アクセスのあった現在時刻を取得し、ＩＤ番号と現在時刻とを元に、リダイレクト先テーブルからリダイレクト条件に合ったリダイレクト先ＵＲＬを検索してＷｅｂ端末に通知するリダイレクト処理部とを備える
ことを特徴とする請求項２に記載のリダイレクト制御システム。
【請求項４】
媒体上のコード情報の読み取りが可能なＷｅｂ端末と、
時時刻刻と変化する速報情報を提供する複数の情報源と、
Ｗｅｂ端末からのＷｅｂアクセス時のリダイレクト条件に応じた速報情報を複数の情報源のいずれかから収集し、その速報情報を元にリダイレクト条件に応じたリダイレクト先をＷｅｂ端末に通知するリダイレクト管理装置と、
Ｗｅｂ端末からのリダイレクト先に基づいたリダイレクトがあると、そのリダイレクト先に対応するコンテンツをＷｅｂ端末へ配信するコンテンツサーバとを備える
ことを特徴とするリダイレクト制御システム。
【請求項５】
リダイレクト管理装置は、
Ｗｅｂ端末からのＷｅｂアクセスを受け取ってリダイレクト先ＵＲＬをＷｅｂ端末に通知するゲートウェイサーバと、
リダイレクト条件及びリダイレクト先ＵＲＬが登録されるデータベースを内包し、Ｗｅｂ端末からのＷｅｂアクセスが受け取られると、複数の情報源のいずれかからの速報情報を収集し、この速報情報を元にリダイレクト条件に応じたリダイレクト先ＵＲＬを選定してゲートウェイサーバに通知する情報収集選定サーバとを備える
ことを特徴とする請求項４に記載のリダイレクト制御システム。
【請求項６】
ゲートウェイサーバは、
入力されたコードシンボル生成条件を元に、少なくともコンテンツサイト運営側に関する情報をＩＤ番号と関連づけてデータベースの物件情報テーブルに登録し、さらにそのＩＤ番号を内包したゲートウェイサーバのＵＲＬをエンコードしてコードシンボルを生成するコードシンボル生成部と、
コード情報を読み取ったＷｅｂ端末からのアクセスがあると、暗号化されているアクセス情報を解読してＩＤ番号を抽出し、この抽出したＩＤ番号を元にリダイレクト先選定依頼を行い、そのリダイレクト先選定依頼に対するリダイレクト先ＵＲＬをＷｅｂ端末に通知するリダイレクト処理部とを備え、
情報収集選定サーバは、情報源、リダイレクト条件、リダイレクト先の登録指示に基づき、データベースのリダイレクト先テーブルにＩＤ番号、リダイレクト条件である取得値、リダイレクト先ＵＲＬを登録するリダイレクト登録部と、
複数の情報源からの速報情報を収集する情報収集部と、
リダイレクト処理部からのリダイレクト先選定依頼があると、情報収集部を介して複数の情報源のいずれかから速報情報を収集した後、この速報情報を元にリダイレクト先テーブルからリダイレクト先ＵＲＬを選定し、リダイレクト処理部へ通知するリダイレクト先選定部とを備える
ことを特徴とする請求項５に記載のリダイレクト制御システム。
【請求項７】
媒体上のコード情報の読み取りが可能なＷｅｂ端末からのＷｅｂアクセス時のリダイレクト条件に応じたリダイレクト先をＷｅｂ端末に通知する工程と、
Ｗｅｂ端末からのリダイレクトがあると、そのリダイレクト先に対応するコンテンツをＷｅｂ端末へ配信する工程とを有する
ことを特徴とするリダイレクト制御方法。
【請求項８】
Ｗｅｂ端末からのＷｅｂアクセスを受け取ると、リダイレクト条件及びリダイレクト先ＵＲＬが登録されるデータベースからリダイレクト条件に応じたリダイレクト先ＵＲＬを決定してＷｅｂ端末に通知する工程を有することを特徴とする請求項７に記載のリダイレクト制御方法。
【請求項９】
入力されたコードシンボル生成条件を元に、少なくともコンテンツサイト運営側に関する情報をＩＤ番号と関連づけてデータベースの物件情報テーブルに登録し、さらにそのＩＤ番号を内包したＵＲＬをエンコードしてコードシンボルを生成する工程と、
リダイレクト先の登録指示に基づき、データベースのリダイレクト先テーブルにＩＤ番号、リダイレクト先ＵＲＬ及びリダイレクト条件となる開始日時及び終了日時を登録する工程と、
コード情報を読み取ったＷｅｂ端末からのアクセスがあると、アクセス情報を解読してＩＤ番号を抽出するとともに、アクセスのあった現在時刻を取得し、ＩＤ番号と現在時刻とを元に、リダイレクト先テーブルからリダイレクト条件に合ったリダイレクト先ＵＲＬを検索してＷｅｂ端末に通知する工程とを有する
ことを特徴とする請求項８に記載のリダイレクト制御方法。
【請求項１０】
媒体上のコード情報の読み取りが可能なＷｅｂ端末からのＷｅｂアクセス時のリダイレクト条件に応じた時時刻刻と変化する速報情報を、その速報情報を提供する複数の情報源のいずれかから収集し、その収集した速報情報を元にリダイレクト条件に応じたリダイレクト先をＷｅｂ端末に通知する工程と、
Ｗｅｂ端末からのリダイレクトがあると、そのリダイレクト先に対応するコンテンツをＷｅｂ端末へ配信する工程とを有する
ことを特徴とするリダイレクト制御方法。
【請求項１１】
Ｗｅｂ端末からのＷｅｂアクセスが受け取られると、複数の情報源のいずれかからの速報情報を収集し、この速報情報を元にリダイレクト条件及びリダイレクト先ＵＲＬが登録されるデータベースからリダイレクト条件に応じたリダイレクト先ＵＲＬを決定してＷｅｂ端末に通知する工程を有することを特徴とする請求項１０に記載のリダイレクト制御方法。
【請求項１２】
入力されたコードシンボル生成条件を元に、少なくともコンテンツサイト運営側に関する情報をＩＤ番号と関連づけてデータベースの物件情報テーブルに登録し、さらにそのＩＤ番号を内包したＵＲＬをエンコードしてコードシンボルを生成する工程と、
情報源、リダイレクト条件、リダイレクト先の登録指示に基づき、データベースのリダイレクト先テーブルにＩＤ番号、リダイレクト条件である取得値、リダイレクト先ＵＲＬを登録する工程と、
コード情報を読み取ったＷｅｂ端末からのアクセスがあると、アクセス情報を解読してＩＤ番号を抽出し、この抽出したＩＤ番号を元にリダイレクト先選定依頼を行い、そのリダイレクト先選定依頼に対するリダイレクト先ＵＲＬをＷｅｂ端末に通知する工程と、
リダイレクト先選定依頼があると、複数の情報源のいずれかから速報情報を収集した後、この速報情報を元にリダイレクト先テーブルからリダイレクト先ＵＲＬを選定して通知する工程とを有する
ことを特徴とする請求項１１に記載のリダイレクト制御方法。
【発明の詳細な説明】
【技術分野】
【０００１】
本発明は、インターネットによる広告の配信の制御に係り、たとえば広告を配信する時間帯を制御するリダイレクト制御システムに関する。
【背景技術】
【０００２】
従来より、商品やサービスの広告を行う方法として、新聞に広告用の折り込みチラシを挟んで新聞とともに宅配する方法がある。特に、スーパーマーケットやディスカウントストア等の流通・小売業では、取り扱っている商品等を購入するのは一般消費者であるため、チラシに広告を掲載する方法は、販売促進のための有効な方法であった。
【０００３】
しかし、チラシに広告等を掲載する方法だけを用いた広告展開は販売促進の効果が低下しつつある。なぜなら、新聞購買者が年々減少しているからであり、特に若年層は宅配による新聞購読をしている割合が低いためである。また、近年では、インターネットの普及により、新聞から情報を得なくても様々な情報が得られるためでもある。さらに、紙媒体であるチラシは情報を掲載するスペースが限られており、インターネットやテレビから情報を得た方がより多くの情報を得ることができるためでもある。
【０００４】
そこで、チラシ等の紙媒体にＷｅｂサイトのＵＲＬを掲載し紙媒体からＷｅｂサイトへの誘引を意図した広告展開がなされるようになってきている。このような広告展開により、紙媒体がインターネットへの入口としての機能を持つようになった。
【０００５】
しかし、Ｗｅｂサイトを閲覧するためにはＷｅｂ端末にそのＷｅｂサイトに該当するＵＲＬを入力しなければならないのであるが、その際、特に携帯電話を用いる場合、入力作業が煩雑なだけではなく、ＵＲＬ入力ミスによるコミュニケーション不全が起こり易いという問題がある。
【０００６】
そこで、近年では、広告媒体等に付されたＱＲコード等のコード情報を携帯電話等の携帯端末に設けられているカメラによって読み取ると、そのコード情報が解読され、そのコード情報に含まれるコンテンツ配信元のＵＲＬへのアクセスにより、コンテンツ配信が行われるような方法が実施されつつある。
【０００７】
このようなコード情報を読み取ることによりコンテンツ配信元のＵＲＬへのアクセスを行うようにしたものとして、特許文献１では、携帯電話機本体にバーコードを読み取るバーコード読取部を設け、それによってｗｗｗサーバのＵＲＬアドレス情報がコード化されたバーコードを読み取って送信し、その送信されたバーコードデータが無線基地局及び専用通信回線を介して携帯電話局で受信され、携帯電話局は、その受信したバーコードデータ、すなわち、バーコードにコード化されたＵＲＬアドレス情報をインターネットを介してＤＮＳサーバへ送り、対応するＩＰアドレスを得てｗｗｗサーバに必要なファイルを要求すると、携帯電話局がｗｗｗサーバから受け取ったファイルを携帯電話機本体へ送信し、携帯電話機本体においてそのファイル内容を表示部に表示するようにしたサーバ・アクセス方法を提案している。
【特許文献１】特開２００２−７７９９４号公報
【発明の開示】
【発明が解決しようとする課題】
【０００８】
特許文献１に示されたサーバ・アクセス方法では、携帯電話におけるＵＲＬ入力操作の煩雑さが払拭され、携帯電話からのｗｗｗサーバへのアクセスが容易に行えるようになるが、一個のコード情報からアクセスできるのはそのコードシンボルを生成するときに予め決められた一個のＵＲＬのみであり、一個のコード情報からのアクセス先の内容を変更する場合は接続先のコンテンツそのものを変更するか、又は変更したコンテンツに接続するコード情報を改めて生成し媒体に付与し直すか、あるいはそれぞれのアクセス先用のコード情報を広告媒体等に付すようにする必要がある。
【０００９】
ところが、コンテンツそのものを変更する作業は煩雑で、コンテンツサイト運営側の負担が増加してしまう。同様にコンテンツに接続するコード情報を改めて生成し媒体に付与し直す作業も効率的ではなく、複数のアクセス先用のコード情報を広告媒体等に付すようにすると、広告媒体本来のコピーやビジュアルを載せる訴求領域が狭められてしまう。
【００１０】
解決しようとする問題点は、一個のコード情報からアクセスできるのは一個のＵＲＬのみであるため、一個のコード情報からのアクセス先の内容を変更する場合は接続先のコンテンツそのものを変更するか、又は変更したコンテンツに接続するコード情報を改めて生成し媒体に付与し直すか、あるいはそれぞれのアクセス先用のコード情報を広告媒体等に付すようにする必要があり、コンテンツそのものを変更するようにすると、コンテンツサイト運営側の負担が増加してしまうということや、コンテンツに接続するコード情報を改めて生成し媒体に付すようにするのは効率的ではないということや、複数のアクセス先用のコード情報を広告媒体等に付すようにすると、広告媒体本来のコピーやビジュアルを載せる訴求領域が狭められてしまうという点である。
【課題を解決するための手段】
【００１１】
本発明のリダイレクト制御システムは、媒体上のコード情報の読み取りが可能なＷｅｂ端末と、Ｗｅｂ端末からのＷｅｂアクセス時のリダイレクト条件に応じたリダイレクト先をＷｅｂ端末に通知するリダイレクト管理装置と、Ｗｅｂ端末からのリダイレクトがあると、そのリダイレクト先に対応するコンテンツをＷｅｂ端末へ配信するコンテンツサーバとを備えることを特徴とする。
また、リダイレクト管理装置は、リダイレクト条件及びリダイレクト先ＵＲＬが登録されるデータベースを内包し、Ｗｅｂ端末からのＷｅｂアクセスを受け取ってリダイレクト先ＵＲＬをＷｅｂ端末に通知するゲートウェイサーバを備えるようにすることができる。
また、ゲートウェイサーバは、入力されたコードシンボル生成条件を元に、少なくともコンテンツサイト運営側に関する情報をＩＤ番号と関連づけてデータベースの物件情報テーブルに登録し、さらにそのＩＤ番号を内包したゲートウェイサーバのＵＲＬをエンコードしてコードシンボルを生成するコードシンボル生成部と、リダイレクト先の登録指示に基づき、データベースのリダイレクト先テーブルにＩＤ番号、コンテンツサイト運営側のリダイレクト先ＵＲＬ及びリダイレクト条件となる開始日時及び終了日時を登録する時限リダイレクト登録部と、コード情報を読み取ったＷｅｂ端末からのアクセスがあると、アクセス情報を解読してＩＤ番号を抽出するとともに、アクセスのあった現在時刻を取得し、ＩＤ番号と現在時刻とを元に、リダイレクト先テーブルからリダイレクト条件に合ったリダイレクト先ＵＲＬを検索してＷｅｂ端末に通知するリダイレクト処理部とを備えるようにすることができる。
本発明のリダイレクト制御システムは、媒体上のコード情報の読み取りが可能なＷｅｂ端末と、時時刻刻と変化する速報情報を提供する複数の情報源と、Ｗｅｂ端末からのＷｅｂアクセス時のリダイレクト条件に応じた速報情報を複数の情報源のいずれかから収集し、その速報情報を元にリダイレクト条件に応じたリダイレクト先をＷｅｂ端末に通知するリダイレクト管理装置と、Ｗｅｂ端末からのリダイレクトがあると、そのリダイレクト先に対応するコンテンツをＷｅｂ端末へ配信するコンテンツサーバとを備えることを特徴とする。
また、リダイレクト管理装置は、Ｗｅｂ端末からのＷｅｂアクセスを受け取ってリダイレクト先ＵＲＬをＷｅｂ端末に通知するゲートウェイサーバと、リダイレクト条件及びリダイレクト先ＵＲＬが登録されるデータベースを内包し、Ｗｅｂ端末からのＷｅｂアクセスが受け取られると、複数の情報源のいずれかからの速報情報を収集し、この速報情報を元にリダイレクト条件に応じたリダイレクト先ＵＲＬを選定してゲートウェイサーバに通知する情報収集選定サーバとを備えるようにすることができる。
また、ゲートウェイサーバは、入力されたコードシンボル生成条件を元に、少なくともコンテンツサイト運営側に関する情報をＩＤ番号と関連づけてデータベースの物件情報テーブルに登録し、さらにそのＩＤ番号を内包したゲートウェイサーバのＵＲＬをエンコードしてコードシンボルを生成するコードシンボル生成部と、コード情報を読み取ったＷｅｂ端末からのアクセスがあると、アクセス情報を解読してＩＤ番号を抽出し、この抽出したＩＤ番号を元にリダイレクト先選定依頼を行い、そのリダイレクト先選定依頼に対するリダイレクト先ＵＲＬをＷｅｂ端末に通知するリダイレクト処理部とを備え、情報収集選定サーバは、情報源、リダイレクト条件、リダイレクト先の登録指示に基づき、データベースのリダイレクト先テーブルにＩＤ番号、リダイレクト条件である取得値、リダイレクト先ＵＲＬを登録するリダイレクト登録部と、複数の情報源からの速報情報を収集する情報収集部と、リダイレクト処理部からのリダイレクト先選定依頼があると、情報収集部を介して複数の情報源のいずれかから速報情報を収集した後、この速報情報を元にリダイレクト先テーブルからリダイレクト先ＵＲＬを選定し、リダイレクト処理部へ通知するリダイレクト先選定部とを備えるようにすることができる。
本発明のリダイレクト制御方法は、媒体上のコード情報の読み取りが可能なＷｅｂ端末からのＷｅｂアクセス時のリダイレクト条件に応じたリダイレクト先をＷｅｂ端末に通知する工程と、Ｗｅｂ端末からのリダイレクト先に基づいたリダイレクトがあると、そのリダイレクト先に対応するコンテンツをＷｅｂ端末へ配信する工程とを有することを特徴とする。
また、Ｗｅｂ端末からのＷｅｂアクセスを受け取ると、リダイレクト条件及びリダイレクト先ＵＲＬが登録されるデータベースからリダイレクト条件に応じたリダイレクト先ＵＲＬを決定してＷｅｂ端末に通知する工程を有するようにすることができる。
本発明のリダイレクト制御方法は、入力されたコードシンボル生成条件を元に、少なくともコンテンツサイト運営側に関する情報をＩＤ番号と関連づけてデータベースの物件情報テーブルに登録し、さらにそのＩＤ番号を内包したＵＲＬをエンコードしてコードシンボルを生成する工程と、リダイレクト先の登録指示に基づき、データベースのリダイレクト先テーブルにＩＤ番号、リダイレクト先ＵＲＬ及びリダイレクト条件となる開始日時及び終了日時を登録する工程と、コード情報を読み取ったＷｅｂ端末からのアクセスがあると、アクセス情報を解読してＩＤ番号を抽出するとともに、アクセスのあった現在時刻を取得し、ＩＤ番号と現在時刻とを元に、リダイレクト先テーブルからリダイレクト条件に合ったリダイレクト先ＵＲＬを検索してＷｅｂ端末に通知する工程とを有することを特徴とする。
また、媒体上のコード情報の読み取りが可能なＷｅｂ端末からのＷｅｂアクセス時のリダイレクト条件に応じた時時刻刻と変化する速報情報を、その速報情報を提供する複数の情報源のいずれかから収集し、その収集した速報情報を元にリダイレクト条件に応じたリダイレクト先をＷｅｂ端末に通知する工程と、Ｗｅｂ端末からのリダイレクト先に基づいたリダイレクトがあると、そのリダイレクト先に対応するコンテンツをＷｅｂ端末へ配信する工程とを有するようにすることができる。
また、Ｗｅｂ端末からのＷｅｂアクセスが受け取られると、複数の情報源のいずれかからの速報情報を収集し、この速報情報を元にリダイレクト条件及びリダイレクト先ＵＲＬが登録されるデータベースからリダイレクト条件に応じたリダイレクト先ＵＲＬを決定してＷｅｂ端末に通知する工程を有するようにすることができる。
また、入力されたコードシンボル生成条件を元に、少なくともコンテンツサイト運営側に関する情報をＩＤ番号と関連づけてデータベースの物件情報テーブルに登録し、さらにそのＩＤ番号を内包したＵＲＬをエンコードしてコードシンボルを生成する工程と、情報源、リダイレクト条件、リダイレクト先の登録指示に基づき、データベースのリダイレクト先テーブルにＩＤ番号、リダイレクト条件である取得値、リダイレクト先ＵＲＬを登録する工程と、コード情報を読み取ったＷｅｂ端末からのアクセスがあると、暗号化されているアクセス情報を解読してＩＤ番号を抽出し、この抽出したＩＤ番号を元にリダイレクト先選定依頼を行い、そのリダイレクト先選定依頼に対するリダイレクト先ＵＲＬをＷｅｂ端末に通知する工程と、リダイレクト先選定依頼があると、複数の情報源のいずれかから速報情報を収集した後、この速報情報を元にリダイレクト先テーブルからリダイレクト先ＵＲＬを選定して通知する工程とを有するようにすることができる。
本発明のリダイレクト制御システムでは、リダイレクト管理装置が媒体上のコード情報の読み取りが可能なＷｅｂ端末からのＷｅｂアクセスがあると、そのＷｅｂアクセス時のリダイレクト条件に応じたリダイレクト先をＷｅｂ端末に通知し、Ｗｅｂ端末からのリダイレクトがあると、そのリダイレクト先に対応するコンテンツサーバがコンテンツをＷｅｂ端末へ配信するので、アクセス先のコンテンツサイトそのものの書き換えを行うことなく、しかも新たにコードを生成し直したり、媒体上にアクセス先用のコード情報を複数付したりすることなく、一個のコード情報から複数のコンテンツサイトへのアクセスが可能となる。
【発明の効果】
【００１２】
本発明のリダイレクト制御システムによれば、アクセス先のコンテンツサイトそのものの書き換えを行うことなく、しかも新たにコードを生成し直したり、媒体上にアクセス先用のコード情報を複数付したりすることなく、一個のコード情報から複数のコンテンツサイトへのアクセスが可能となるので、コンテンツサイト運営側あるいはコード生成側の負担を軽減することができ、しかも媒体本来の広告を載せる領域が狭められてしまうということもなくなる。
【発明を実施するための最良の形態】
【００１３】
本実施形態では、リダイレクト管理装置が媒体上のコード情報の読み取りが可能なＷｅｂ端末からのＷｅｂアクセスがあると、そのＷｅｂアクセス時のリダイレクト条件に応じたリダイレクト先ＵＲＬをＷｅｂ端末に通知し、Ｗｅｂ端末からのリダイレクトがあると、コンテンツサーバがそのリダイレクト先ＵＲＬに対応するコンテンツであるたとえば広告をＷｅｂ端末へ配信するようにすることで、アクセス先のコンテンツサイトそのものの書き換えを行うことなく、しかも新たにコードを生成し直したり、媒体上にアクセス先用のコード情報を複数付したりすることなく、一個のコード情報から複数のコンテンツサイトへのアクセスが可能となるようにし、コンテンツサイト運営側あるいはコード生成側の負担を軽減し、しかも媒体本来の広告を載せる領域が狭められてしまうということもなくなるようにした。
【００１４】
以下、本発明の実施の形態について説明する。
（第１実施形態）
図１は、本発明のリダイレクト制御システムの第１実施形態の概要を説明するための図、図２は、図１のリダイレクト管理装置の詳細を示す図、図３は、図１のリダイレクト制御システムによるリダイレクト制御方法を説明するための図、図４は、図１のリダイレクト制御システムによるリダイレクト制御方法の一具体例を説明するための図である。
【００１５】
図１に示すように、リダイレクト制御システムは、媒体としての広告媒体１０のコード情報１１の読み取りが可能なＷｅｂ端末２０と、リダイレクト管理装置３０と、コンテンツサーバ４０とを備え、これらはインターネット５０を介して相互に通信できるように構成されている。
【００１６】
媒体としての広告媒体１０としては、生活者が購入又は閲覧できる全ての商品である。また、媒体としては広告媒体１０に限らず、テレビジョン装置や街頭モニターに表示される画像であってもよい。コード情報１１としては、少なくともリダイレクト管理装置３０側のＵＲＬとＩＤ番号とを含めることができるものであればよく、モバイルコードやＱＲコード等の２次元コードとすることができる。
【００１７】
Ｗｅｂ端末２０は、生活者によって使用されるものであり、少なくとも広告媒体１０のコード情報１１を読み取る機能とインターネット５０を介して通信できる機能とを有しているものであればよく、たとえば携帯電話、ＰＤＡ、ノートパソコン、ディスクトップパソコン、ＷｅｂＴＶ等を用いることができる。
【００１８】
ここで、Ｗｅｂ端末２０は、広告媒体１０のコード情報１１を読み取ると、そのコード情報１１に含まれるＵＲＬを元に、ゲートウェイサーバ３０Ａ側へのＷｅｂアクセスを実行する。また、Ｗｅｂ端末２０は、後述のように、ゲートウェイサーバ３０Ａ側から受け取ったリダイレクト先ＵＲＬにアクセス（リダイレクト先に基づいたアクセス）することにより、コンテンツサーバ４０からのコンテンツであるたとえば広告を受け取ることができるようになっている。
【００１９】
リダイレクト管理装置３０は、管理者によって管理されるものであり、データベース３０Ｂを内包するゲートウェイサーバ３０Ａを備えている。
【００２０】
ゲートウェイサーバ３０Ａは、図２に示すように、コードシンボル生成部３１と、時限リダイレクト登録部３２と、リダイレクト処理部３３とを備えている。なお、図２におけるリダイレクト制御の大まかな流れは、（１）〜（１２）の順となっている。
【００２１】
コードシンボル生成部３１は、入力されたコードシンボル生成条件を元に物件情報をデータベース３０Ｂの物件情報テーブル３４に登録する機能を有している。ここで、物件情報としては、少なくともコンテンツサイト運営側に関する情報等であり、ＩＤ番号と関連づけて登録される。また、コードシンボル生成部３１は、ＩＤ番号を内包したゲートウェイサーバ３０ＡのＵＲＬをエンコードし、コードシンボルを生成する機能を有している。
【００２２】
生成されたコードシンボルは、上述した広告媒体１０のコード情報１１として用いられる。なお、コードシンボルは、上述したように、モバイルコードやＱＲコード等の２次元コードとすることができる。
【００２３】
時限リダイレクト登録部３２は、時限リダイレクト先の登録指示に基づき、データベース３０Ｂのリダイレクト先テーブル３５にＩＤ番号、開始日時、終了日時、リダイレクト先ＵＲＬを登録する機能を有している。ここでのＩＤ番号は、上述した物件情報テーブル３４に登録されている、コンテンツサイト運営側に関する情報等と関連づけられたＩＤ番号と同じものである。
【００２４】
リダイレクト処理部３３は、コード情報１１を読み取ったＷｅｂ端末２０からのＷｅｂアクセスがあると、暗号化されているアクセス情報を解読してＩＤ番号を抽出するとともに、アクセスのあった、現在時刻を取得する機能を有している。
【００２５】
また、リダイレクト処理部３３は、ＩＤ番号と現在時刻とを元に、データベース３０Ｂのリダイレクト条件を有するリダイレクト先テーブル３５からリダイレクト先を検索し、そのリダイレクト先ＵＲＬをＷｅｂ端末２０に通知する機能を有している。
【００２６】
データベース３０Ｂは、物件情報テーブル３４とリダイレクト先テーブル３５とを有している。物件情報テーブル３４には、コンテンツサイト運営側に関する情報等がＩＤ番号と関連づけて登録される。リダイレクト先テーブル３５には、ＩＤ番号、開始日時、終了日時、リダイレクト先ＵＲＬが登録されている。ここで、開始日時及び終了日時は、リダイレクト条件であり、リダイレクト先ＵＲＬはコンテンツサイトのアドレスである。
【００２７】
コンテンツサーバ４０はコンテンツサイト運営側が管理するものであり、リダイレクト処理部３３によってリダイレクト先決定後リダイレクトされると、そのリダイレクト先ＵＲＬに対応するコンテンツである広告をＷｅｂ端末２０へ配信する。
【００２８】
次に、リダイレクト制御方法について説明する。
まず、図３に示すように、管理者によってコードシンボル生成条件が入力されると（ステップＳ１）、コードシンボル生成部３１により、入力されたコードシンボル生成条件を元に、データベース３０Ｂの物件情報テーブル３４に物件情報の登録をする（ステップＳ２，Ｓ３）。ここで、物件情報としては、上述したように、コンテンツサイト運営側に関する情報等であり、それぞれがＩＤ番号と関連づけて登録される。
【００２９】
このとき、コードシンボル生成部３１により、そのＩＤ番号を内包したゲートウェイサーバ３０ＡのＵＲＬがエンコードされ、コードシンボルが生成され（ステップＳ４）、そのコードシンボルが上述した広告媒体１０のコード情報１１として掲載される（ステップＳ５，Ｓ６）。
【００３０】
また、管理者により、時限リダイレクト先ＵＲＬが入力されると（ステップＳ７）、時限リダイレクト登録部３２により、データベース３０Ｂのリダイレクト先テーブル３５にＩＤ番号、開始日時、終了日時、リダイレクト先ＵＲＬが登録される（ステップＳ８，Ｓ９）。
【００３１】
そして、Ｗｅｂ端末２０により、広告媒体１０のコード情報１１が読み取られると、そのコード情報１１に含まれるＵＲＬを元にゲートウェイサーバ３０Ａ側にＷｅｂアクセスされる（ステップＳ１０，Ｓ１１）。
【００３２】
ゲートウェイサーバ３０Ａにより、そのＷｅｂアクセスが受け付けられると、リダイレクト処理部３３により、そのアクセス情報に含まれているＩＤ番号が抽出される（ステップＳ１２）。またこのとき、リダイレクト処理部３３により、Ｗｅｂアクセスを受け取った現在時刻が取得される（ステップＳ１３）。
【００３３】
ＩＤ番号と現在時刻とが得られると、リダイレクト処理部３３により、これらのＩＤ番号と現在時刻とを元に、データベース３０Ｂのリダイレクト条件を有するリダイレクト先テーブル３５からリダイレクト先ＵＲＬが検索される（ステップＳ１４〜Ｓ１６）。
【００３４】
そして、検索されたリダイレクト先ＵＲＬがＷｅｂ端末２０に通知される（ステップＳ１７）。Ｗｅｂ端末２０がそのリダイレクト先ＵＲＬを受け取り、受け取ったリダイレクト先ＵＲＬにアクセス（リダイレクト）すると、コンテンツサーバ４０によりそのアクセス（リダイレクト）が受け取られ、そのリダイレクト先ＵＲＬに対応するコンテンツである広告がＷｅｂ端末２０へ配信される（ステップＳ１８〜Ｓ２０）。
【００３５】
ここで、具体的な一例について説明する。
まず、図４に示すように、広告媒体１０がティッシュＢＯＸであり、そのティッシュＢＯＸの側面にコード情報１１が付されているものとする。
【００３６】
ここで、Ｗｅｂ端末２０により、広告媒体１０のコード情報１１が読み取られると、そのコード情報１１に含まれるＵＲＬを元に、ゲートウェイサーバ３０Ａ側にＷｅｂアクセスされる。またここで、Ｗｅｂアクセスした際の時刻が（ａ）のように０８：０２の場合、リダイレクト先テーブル３５の開始日時が０８：００で終了時刻が０８：５９であるリダイレクト先 http://abc.com...が検索される。
【００３７】
そして、検索されたリダイレクト先ＵＲＬがＷｅｂ端末２０に通知され、Ｗｅｂ端末２０により受け取ったリダイレクト先ＵＲＬにアクセス（リダイレクト）すると、コンテンツサーバ４０によりそのアクセス（リダイレクト）が受け取られ、そのリダイレクト先ＵＲＬに対応するコンテンツである広告がＷｅｂ端末２０へ配信される。これにより、（ａ）−１に示すように、たとえばパン製造メーカーのＣＰサイトが表示される。
【００３８】
このように、Ｗｅｂ端末２０からのＷｅｂアクセスの時刻に応じた広告配信を行うようにすることで、様々な業種の広告主の広告の配信が行われるとともに、広告主に対しそれぞれの時間帯に応じた料金設定が可能となる。
【００３９】
このように、第１実施形態では、リダイレクト管理装置３０が広告媒体１０のコード情報１１の読み取りが可能なＷｅｂ端末２０からのＷｅｂアクセスがあると、そのＷｅｂアクセス日時に応じたリダイレクト先ＵＲＬをＷｅｂ端末２０に通知し、Ｗｅｂ端末２０からリダイレクト先ＵＲＬにリダイレクトがあると、コンテンツサーバ４０がそのリダイレクト先ＵＲＬに対応するコンテンツである広告をＷｅｂ端末２０へ配信するようにしたので、アクセス先のコンテンツサイトの内容の書き換えを行うことなく、しかも新たにコードを生成し直したり、媒体上にアクセス先用のコード情報１１を複数付したりすることなく、一個のコード情報１１から複数のコンテンツサイトへのアクセスが可能となる。
【００４０】
これにより、一個のコード情報１１から複数のコンテンツサイトへのアクセスを可能にする場合は接続先のコンテンツそのものを変更するか、又は変更したコンテンツに接続するコード情報１１を改めて生成し媒体に付与し直すか、あるいはそれぞれのアクセス先用のコード情報１１を媒体上に付すようにする必要があるといった従来の問題点が解消される。
【００４１】
その結果、アクセス先のコンテンツサイトの内容の書き換えを行うことなく、しかも新たにコードを生成し直したり、媒体上にアクセス先用のコード情報１１を複数付したりすることなく、一個のコード情報から複数のコンテンツサイトへのアクセスが可能となるので、コンテンツサイト運営側あるいはコード生成側の負担を軽減することができ、しかも媒体本来の広告を載せる領域が狭められてしまうということもなくなる。
【００４２】
また、第１実施形態では、Ｗｅｂ端末２０にアクセス日時に応じてリダイレクト先ＵＲＬが通知されるので、複数の広告主のＵＲＬをリダイレクト先として設定することが可能になり、コード情報11を伏す広告媒体１０の提供者、あるいは広告配信サービスを運営する管理者にとっては幅広い業種からの広告配信サービスに伴う収益を上げることできる。
【００４３】
また、第１実施形態では、Ｗｅｂアクセスの時刻に応じて一個のコード情報１１から複数のコンテンツサイトへのアクセスが可能となるので、そのコード情報１１が付される商品パッケージに新たな広告媒体としての機能を付与することができ、広告主がこれまで以上に多彩なメディア展開を行うことができるようになるだけでなく、広告スペースを提供するメーカーが広告媒体費によってパッケージの制作費の一部をまかなうようになれば、広告活動へのより積極的な投資も期待できる。
【００４４】
（第２実施形態）
図５は、図１のリダイレクト制御システムの構成を変えた場合の第２実施形態の概要を説明するための図、図６は、図５のリダイレクト管理装置の詳細を示す図、図７は、図５のリダイレクト制御システムによるリダイレクト制御方法の一具体例を説明するための図である。なお、以下に示す図において、図１及び図２と共通する部分には同一符号を付し重複する説明を適宜行うものとする。
【００４５】
図５に示すリダイレクト制御システムでは、情報収集選定サーバ３０Ｃにより、複数の情報源６０からの時時刻刻と変化する速報情報を収集してリダイレクト先が選定される点で、図１のリダイレクト制御システムとは構成が異なっている。
【００４６】
次に、リダイレクト管理装置３０の詳細について説明する。
図６に示すように、リダイレクト管理装置３０の情報収集選定サーバ３０Ｃは、リダイレクト登録部３２ａ、リダイレクト先選定部３６、情報収集部３７を備えている。
【００４７】
リダイレクト登録部３２ａは、情報源、条件、リダイレクト先の登録指示に基づき、リダイレクト先テーブル３５にＩＤ番号、取得値、リダイレクト先ＵＲＬを登録する機能を有している。ここで、取得値とは、様々なリダイレクト条件を示す情報であり、たとえば晴、雨、曇、勝ち、負け、在庫有り等のように、時時刻刻と変化する速報情報である。
【００４８】
リダイレクト先選定部３６は、リダイレクト処理部３３からのリダイレクト先選定依頼があると、情報収集部３７を介して複数の情報源６０からの速報情報を収集した後、リダイレクト先テーブル３５からリダイレクト先を選定し、リダイレクト処理部３３へリダイレクト先を通知する機能を有している。ここで、複数の情報源６０は、お天気情報、野球情報、在庫情報等の速報情報を提供する端末である。
【００４９】
情報収集部３７は、リダイレクト先選定部３６からの情報収集の要求があると、複数の情報源６０からの速報情報を収集してリダイレクト先選定部３６に通知する機能を有している。
【００５０】
なお、図６におけるリダイレクト制御の大まかな流れは、（１）〜（１４）の順となっている。このような構成では、上述したように、リダイレクト処理部３３により、コード情報１１を読み取ったＷｅｂ端末２０からのＷｅｂアクセスが受け取られると、そのＷｅｂアクセス時の条件（リダイレクト条件でもある）に応じてリダイレクト先選定部３６によりリダイレクト先テーブル３５からリダイレクト先ＵＲＬが選定され、その選定されたリダイレクト先ＵＲＬがリダイレクト処理部３３からＷｅｂ端末２０に通知される。
【００５１】
ここで、Ｗｅｂアクセス時の条件とは、たとえば晴、雨、曇、勝ち、負け、在庫有り等のようなリダイレクト条件であって時時刻刻と変化する速報情報に沿ったものであり、たとえば晴、雨、曇のような気象条件の場合、情報収集部３７により、お天気情報の情報源６０からの速報情報が収集され、リダイレクト先選定部３６によりリダイレクト先テーブル３５からリダイレクト先ＵＲＬが選定されることになる。
【００５２】
そして、Ｗｅｂ端末２０により、受け取ったリダイレクト先ＵＲＬにアクセス（リダイレクト）すると、コンテンツサーバ４０によりそのアクセス（リダイレクト）が受け取られ、そのリダイレクト先ＵＲＬに対応するコンテンツである広告がＷｅｂ端末２０へ配信される。
【００５３】
ここで、Ｗｅｂ端末２０からのＷｅｂアクセス時の気温をリダイレクト条件とした場合の一具体例について説明する。
【００５４】
すなわち、図７に示すように、リダイレクト先テーブル３５の代わりにリダイレクト先選定条件テーブル３５ａを用いるものとし、Ｗｅｂアクセスした際の気温が（ａ）のように２９℃の場合、リダイレクト先選定条件テーブル３５ａのリダイレクト条件が気温２５℃以上３０℃未満であるリダイレクト先 http://mmm.net/...が選定される。
【００５５】
そして、選定されたリダイレクト先ＵＲＬがＷｅｂ端末２０に通知され、Ｗｅｂ端末２０により受け取ったリダイレクト先ＵＲＬにアクセス（リダイレクト）すると、コンテンツサーバ４０によりそのアクセス（リダイレクト）が受け取られ、そのリダイレクト先ＵＲＬに対応するコンテンツである広告がＷｅｂ端末２０へ配信されることで、（ａ）−１に示すように、たとえば飲料メーカーのＣＰサイトが表示される。
【００５６】
このように、Ｗｅｂ端末２０からのＷｅｂアクセス時の気温に応じた広告配信を行うようにすることで、たとえば季節（リダイレクト期間）限定の広告配信が可能となり、広告主に対し気温等のリダイレクト条件に応じた料金設定が可能となる。
【００５７】
このように、第２実施形態では、リダイレクト管理装置３０が広告媒体１０のコード情報１１の読み取りが可能なＷｅｂ端末２０からのＷｅｂアクセスがあると、そのＷｅｂアクセス時のリダイレクト条件に応じた速報情報を複数の情報源６０のいずれかから収集し、その速報情報を元にリダイレクト条件に応じたリダイレクト先ＵＲＬをＷｅｂ端末２０に通知し、Ｗｅｂ端末２０からのリダイレクト先ＵＲＬによるリダイレクトがあると、コンテンツサーバ４０がそのリダイレクト先ＵＲＬに対応するコンテンツである広告をＷｅｂ端末２０へ配信するようにしたので、第１実施形態での作用効果に加え、リダイレクト条件を、たとえば晴、雨、曇、勝ち、負け、在庫有り等のような時時刻刻と変化する速報情報に沿ったものとすることができることから、広告配信時の条件をさらに増やすことができる。
【００５８】
また、晴、雨、曇、勝ち、負け、在庫有り等のような速報情報に沿ったリダイレクト条件に応じて一個のコード情報１１から複数のコンテンツサイトへのアクセスが可能となるので、そのコード情報１１が付される商品パッケージに速報情報に沿った新たな広告媒体としての機能を付与することができ、上記同様に、広告主がこれまで以上に多彩なメディア展開を行うことができるようになるだけでなく、広告スペースを提供するメーカーが広告媒体費によってパッケージの制作費の一部をまかなうようになれば、広告活動へのより積極的な投資も期待できる。
【００５９】
なお、第１及び第２実施形態でのコード情報１１としては、広告媒体１０に印刷あるいはシール状のものとして貼着されるものに限らず、ＩＣタグ等のような媒体に記憶させておき、そのＩＣタグ等の媒体を広告媒体１０に貼着あるいは係止させるようにしてもよい。
【００６０】
また、第１及び第２実施形態では、コンテンツサーバ４０がそのリダイレクト先ＵＲＬに対応するコンテンツとしてたとえば広告をＷｅｂ端末へ配信するようにしているが、コンテンツとして広告以外の情報であってもよいことは勿論である。
【図面の簡単な説明】
【００６１】
【図１】本発明のリダイレクト制御システムの第１実施形態の概要を説明するための図である。
【図２】図１のリダイレクト管理装置の詳細を示す図である。
【図３】図１のリダイレクト制御システムによるリダイレクト制御方法を説明するための図である。
【図４】図１のリダイレクト制御システムによるリダイレクト制御方法の一具体例を説明するための図である。
【図５】図１のリダイレクト制御システムの構成を変えた場合の第２実施形態の概要を説明するための図である。
【図６】図５のリダイレクト管理装置の詳細を示す図である。
【図７】図５のリダイレクト制御システムによるリダイレクト制御方法の一具体例を説明するための図である。
【符号の説明】
【００６２】
１０  広告媒体
１１  コード情報
２０  Ｗｅｂ端末
３０  リダイレクト管理装置
３０Ａ  ゲートウェイサーバ
３０Ｂ  データベース
３０Ｃ  情報収集選定サーバ
３１  コードシンボル生成部
３２  時限リダイレクト登録部
３２ａ  リダイレクト登録部
３３  リダイレクト処理部
３４  物件情報テーブル
３５  リダイレクト先テーブル
３５ａ  リダイレクト先選定条件テーブル
３６  リダイレクト先選定部
３７  情報収集部
４０  コンテンツサーバ
５０  インターネット
６０  情報源
【図１】
2006155534.tif 000003
【図２】
2006155534.tif 000004
【図３】
2006155534.tif 000005
【図４】
2006155534.tif 000006
【図５】
2006155534.tif 000007
【図６】
2006155534.tif 000008
【図７】
2006155534.tif 000009